(57)【要約】【課題】部品数の削減、構造の簡素化を図ることにより製作コストの削減を図ったシャッター用上げ落とし金具を提供する。【解決手段】シャッター用上げ落とし金具１は、前記ケース２の内部正面に揺動可能に軸支されたロックピース片４が配設され、該ロックピース片４は、一端側に前記第１スプリング５の下端面に介在し前記第１スプリング５による押圧力を受けるスプリング押下部４Ｂを有するとともに、他端側に前記他方側のロッド３Ｃの外面に設けられたピン７に対して係脱するピン係止部４ｄを有し、かつ前記ケース２の外側に突出する解錠操作摘み部９を有する。【選択図】図１
2018048466.tif 000002
【特許請求の範囲】
【請求項１】
ケース内を上下方向に貫通する左右のロッドを有する落とし杆が前記ケースに対して上下方向に摺動自在に配設され、前記ケース内で一方側のロッドに外嵌された第１スプリングの付勢力によって前記落とし杆が上方向に付勢され、かつ他方側のロッドの外面に設けられたピンに対して係脱することにより前記落とし杆を押し下げた状態を保持するようにしたシャッター用上げ落とし金具において、
前記ケースの内部正面に揺動可能に軸支されたロックピース片が配設され、該ロックピース片は、一端側に前記第１スプリングの下端面に介在し前記第１スプリングによる押圧力を受けるスプリング押下部を有するとともに、他端側に前記他方側のロッドの外面に設けられたピンに対して係脱するピン係止部を有し、かつ前記ケースの外側に突出する解錠操作摘み部を有することを特徴とするシャッター用上げ落とし金具。
【請求項２】
前記ケース内で前記落とし杆の他方側のロッドに外嵌された第２スプリングを備え、該第２スプリングの付勢力によっても前記落とし杆が上方向に付勢されている請求項１記載のシャッター用上げ落とし金具。
【発明の詳細な説明】
【技術分野】
【０００１】
本発明は、横方向にシャッターカーテンが連設された多連式シャッターカーテンの中柱下端を固定するためのシャッター用上げ落とし金具に関する。
【背景技術】
【０００２】
従来より、倉庫や車庫などの間口を開閉するためにシャッターカーテンが設置されている。このシャッターカーテンは間口が広い場合には、図７に示されるように、複数のシャッターカーテンが横方向に連設された多連式シャッターカーテン６０が採用され、各シャッターカーテンの間に、縦方向ガイドのために取り外し可能な中柱６１が立設される。この中柱６１の下端には、該中柱６１を固定するために上げ落とし金具５０が設けられている。
【０００３】
前記上げ落とし金具５０としては、種々の構造のものが提案されているが、例えば下記特許文献１では、図８に示されるように、床に設けられた受け座の係合孔内に上げ落としされる落とし杆５１の左右ロッド５１ａ、５１ｂが、中柱の下端に取り付けられる錠ケース５２を貫通して上下摺動可能に配設され、当該錠ケース５２内には、一方のロッド５１ａに係合せられて落とし杆５１を解錠方向に押し上げるように付勢するスプリング５３と、他方のロッド５１ｂに係脱自在に係合せられて落とし杆５１を押し下げた状態に保持する施錠機構５４が設けられたシャッターの中柱固定装置において、前記施錠機構５４が、前記他方のロッドの周面に突設されたピン５５と、当該ピン５５によって上方から圧されると引っ込み、落とし杆５１が前記係合孔内に完全に落とし込まれて当該ピン５５の力が除かれると再びラッチボルト５６が飛び出すスプリングキャッチ５７とから成り、前記ラッチボルト５６には、前記錠ケース５２の外に突出する解錠操作子５８が突設されている中柱固定装置５０（上げ落とし金具）が提案されている。
【先行技術文献】
【特許文献】
【０００４】
【特許文献１】実公平６−１６０９２号公報
【発明の概要】
【発明が解決しようとする課題】
【０００５】
しかしながら、前記上げ落とし金具５０の場合は、落とし杆５１を押し下げた状態に保持する施錠機構５４が、落とし杆５１やスプリング５３からなる上下動機構とは無関係に、全く別な独立した構造として設けられており、そのため部品数が多くなりコスト高を招くなどの問題があった。
【０００６】
また、左右のロッドの一方側にのみ落とし杆５１を解錠方向に押し上げるように付勢するスプリング５３が設けられているため、スプリング５３による力の作用点が前記落とし杆５１の一方側ロッド５１ａのみになるため、落とし杆５１に傾く力が作用しながら上下方向に作動する。そのため、落とし杆５１のロッドによってケースの通孔が徐々に摩耗して拡大すると、落とし杆５１が完全に傾くようになり作動不良を起こすなどの不具合が生じることが多々あった。
【０００７】
そこで本発明の第１の課題は、部品数の削減、構造の簡素化を図ることにより製作コストの削減を図ったシャッター用上げ落とし金具を提供することにある。
【０００８】
また、第２の課題は、落とし杆が解錠方向（上方向）にまっすぐに移動するようにし、落とし杆のロッドによってケースの通孔が摩耗により拡大するなどの不具合が生じるのを防止して落とし杆の作動不良を無くすことにある。
【課題を解決するための手段】
【０００９】
上記課題を解決するために請求項１に係る本発明として、ケース内を上下方向に貫通する左右のロッドを有する落とし杆が前記ケースに対して上下方向に摺動自在に配設され、前記ケース内で一方側のロッドに外嵌された第１スプリングの付勢力によって前記落とし杆が上方向に付勢され、かつ他方側のロッドの外面に設けられたピンに対して係脱することにより前記落とし杆を押し下げた状態を保持するようにしたシャッター用上げ落とし金具において、
前記ケースの内部正面に揺動可能に軸支されたロックピース片が配設され、該ロックピース片は、一端側に前記第１スプリングの下端面に介在し前記第１スプリングによる押圧力を受けるスプリング押下部を有するとともに、他端側に前記他方側のロッドの外面に設けられたピンに対して係脱するピン係止部を有し、かつ前記ケースの外側に突出する解錠操作摘み部を有することを特徴とするシャッター用上げ落とし金具が提供される。
【００１０】
上記請求項１記載の発明では、前記ケースの内部正面に揺動可能に軸支されたロックピース片が配設され、該ロックピース片は、一端側に前記第１スプリングの下端面に介在し前記第１スプリングによる押圧力を受けるスプリング押下部を有するとともに、他端側に前記他方側のロッドの外面に設けられたピンに対して係脱するピン係止部を有する。すなわち、本発明では、ロックピース片の一端側が下方向に第１スプリングによる押圧力を受けている状態とすることによって、他端側に形成されたピン係止部がピンに対して係止する際の付勢力を発生させるようにしている。すなわち、前記一方側のロッドに外嵌された第１スプリングが前記落とし杆を上方向に付勢させる第１機能と、ロックピース片をピンに対して係止させる付勢力を発生させる第２機能との両方を兼用するようにしているため、従来の上げ落とし金具のように、他から独立した施錠機構５４を設ける必要が無く、単一のスプリング部材とロックピース片との組み合わせで足りるようになるため、部品数の削減、構造の簡素化により製作コストの削減を図ることが可能となる。
【００１１】
前記第２課題を解決するために請求項２に係る本発明として、前記ケース内で前記落とし杆の他方側のロッドに外嵌された第２スプリングを備え、該第２スプリングの付勢力によっても前記落とし杆が上方向に付勢されている請求項１記載のシャッター用上げ落とし金具が提供される。
【００１２】
上記請求項２記載の発明では、前記落とし杆の他方側のロッドに外嵌された第２スプリングを備えている。従って、落とし杆の左右のロッドそれぞれにスプリングが外嵌させているため、落とし杆は傾くことなく、上方向にまっすぐに付勢されるようになるため、落とし杆のロッドによってケースの通孔が徐々に摩耗して拡大したり、落とし杆が傾いたりすることが無くなり、作動不良を防止することが可能となる。
【発明の効果】
【００１３】
以上詳説のとおり本発明によれば、部品数の削減、構造の簡素化を図ることにより製作コストの削減を図ったシャッター用上げ落とし金具を提供することが可能となる。
【００１４】
また、落とし杆が解錠方向（上方向）にまっすぐに移動するようにし、落とし杆のロッドによってケースの通孔が摩耗により拡大するなどの不具合が生じるのを防止して落とし杆の作動不良を無くすことが可能となる。
【図面の簡単な説明】
【００１５】
【図１】本発明に係る上げ落とし金具１を示す（解錠状態）、(A)は裏面図、(B)は縦断面図である。
【図２】ロックピース片４を示す、(A)は正面図、(B)は右側面図、(C)は平面図である。
【図３】ロックピース片４のケース２への取付要領図である。
【図４】施錠状態を示す上げ落とし金具１の裏面図である。
【図５】解錠操作要領を示す上げ落とし金具１の裏面図である。
【図６】第２形態例に係る上げ落とし金具１’を示す、(A)は裏面図、(B)は縦断面図である。
【図７】多連式シャッターカーテン６０の正面図である。
【図８】従来の上げ落とし金具５０を示す裏面図である。
【発明を実施するための形態】
【００１６】
以下、本発明の実施の形態について図面を参照しながら詳述する。
【００１７】
本発明に係る上げ落とし金具１は、図１に示されるように、ケース２内を上下方向に貫通する左右のロッド３Ｂ、３Ｃを有する落とし杆３が前記ケース２に対して上下方向に摺動自在に配設され、前記ケース２内で一方側のロッド３Ｂに外嵌された第１スプリング５の付勢力によって前記落とし杆３が上方向に付勢され、かつ他方側のロッド３Ｃの外面に設けられたピン７に対して係脱することにより前記落とし杆３を押し下げた状態に保持するようにしたものであって、特に前記ケース２の内部正面に揺動可能に軸支されたロックピース片４が配設され、該ロックピース片４は、一端側に前記第１スプリング５の下端面に介在し前記第１スプリング５による押圧力を受けるスプリング押下部４Ｂを有するとともに、他端側に前記他方側のロッド３Ｃの外面に設けられたピン７に対して係脱するピン係止部４ｄを有し、かつ前記ケース２の外側に突出する解錠操作摘み部９を有するものである。
【００１８】
以下、具体的に詳述する。
【００１９】
倉庫や車庫などの間口を開閉するためにシャッターカーテンにおいて、横方向の間口が広い場合には、取り外し可能な中間柱によって所定区間に仕切り、それぞれの間口にシャッターカーテンが開閉自在に設けられる。前記中間柱の下端を固定するために上げ落とし金具１が用いられる。具体的には、中間柱の下端裏面側に上げ落とし金具１が固設され、床に設けられた受け孔に対して落とし杆３の先端が差し込まれることにより中間柱が固定されるようになっている。
【００２０】
前記ケース２は、同図１に示されるように、ケース本体２Ａの上部に中間柱に対する上部固定部２Ｂを有するとともに、中間柱に対する下部固定部２Ｃを有する。前記ケース本体２Ａは、左右の側にそれぞれ上下方向に貫通するロッド貫通孔２ａ、２ｂを有し、内部には略立方体状の空間が形成されている。前記上部固定部２Ｂは、ケース本体２Ａの上辺から上方向に延びる起立部とされ、この起立部には左右一対のビス又はリベットの固定孔２ｃが形成されている。前記下部固定部２Ｃは、ケース本体２Ａの下辺からＬ字状に延びるアングル片とされ、この垂下部には左右一対のビス又はリベットの固定孔２ｄが形成されている。
【００２１】
前記落とし杆３は、逆Ｕ字形状の部材とされ、上部の水平ロッド部３Ａが把手とされ、下方向に延びる一方側のロッド３Ｂが前記ケース本体２Ａのロッド貫通孔２ａに貫通し、下方に延びる他方側のロッド３Ｃが前記ケース本体２Ａのロッド貫通孔２ｂに貫通して設けられている。ケース本体２Ａへの取付状態で、ケース２内で前記一方側ロッド３Ｂには第１スプリング５が外嵌され、ロッド３Ｂの外面であって前記第１スプリング５の上端部にバネストッパー軸６が設けられており、第１スプリング５の付勢力によって前記落とし杆３が上方向に付勢されている。また、前記他方側のロッド３Ｃには、前記ケース本体２Ａ内の上部に対応する位置に落とし杆３を押し下げた状態に保持するためのピン７が設けられている。
【００２２】
前記ケース本体２Ａの内部正面には、支軸８によって僅かではあるが、揺動可能に支持されたロックピース片４が設けられている。前記ロックピース片４は、詳細には図２に示されるように、垂直板４Ａと、この垂直板４Ａの下端から水平方向に延びるスプリング押下部４Ｂとから構成されている。前記垂直板４Ａの上部には支軸貫通孔４ａが形成されているとともに、右側縦辺に垂直部４ｂ、傾斜部４ｃ、ピン係止部４ｄからなるピン７との連携部が形成されている。また、前記支軸貫通孔４ａの下方側には外側に突出する解錠操作摘み部９が設けられている。一方、前記スプリング押下部４Ｂには前記落とし杆３の一方側ロッド３Ｂが挿通する貫通部４ｅが形成されている。前記貫通部４ｅは、図示例では横方向に開口するＵ字溝とされているが、長孔としてもよい。
【００２３】
前記ロックピース片４をケース２内に取り付けるには、図３に示されるように、支軸８をロックピース片４の支軸貫通孔４ａに差し込み、かつ支軸８の先端をケース２の支軸貫通孔に差し込んだ後、先端をカシめることにより前記ロックピース片４が支軸８を回転中心として揺動可能に取り付けられている。また、ロックピース片４の解錠操作摘み部９は、ケース２に形成された通孔から外部に突出するようになっている。
【００２４】
前記ロックピース片４の取付状態では、図１に示されるように、前記ロックピース片４のスプリング押下部４Ｂは第１スプリング５の下端面に介在されており、前記ロックピース片４が支軸８を回転中心として反時計回り方向（図１にて）に付勢されている。なお、前記スプリング押下部４Ｂと第１スプリング５との間には、第１スプリング５がしっかりとスプリング押下部４Ｂを押さえ付けるように、一方側ロッド３Ｂに外嵌させたワッシャ１０を設けるようにするのが望ましい。
【００２５】
以上、詳述した上げ落とし金具１において、施錠（中柱の固定）を図るには、図４に示されるように、落とし杆３の水平ロッド部３Ａを掴んでそのまま押し下げる。すると、他方側ロッド３Ｃのピン７がロックピース片４の傾斜部４ｃに当接するが、そのまま押し下げると、ピン７が傾斜部４ｃに沿って摺動することによってロックピース片４が揺動される。前記ロックピース片４は第１スプリング５によって元の姿勢に戻るように付勢されているため、ピン７が傾斜部４ｃを乗り越えるとロックピース片４が元の状態に揺動し、ピン７がピン係止部４ｄに係止して落とし杆３が押し下げられた状態で保持される。
【００２６】
施錠状態から解錠操作を行うには、図５に示されるように、ケース２の孔から外側に突出している解錠操作摘み部９を持って、ロックピース片４を揺動させる。すると、ピン７のピン係止部４ｄへの係止が解除されると同時に、第１スプリング５による付勢力によって落とし杆３が上方向に移動し、解錠がなされる。
【００２７】
（第２形態例）
次に、図６に第２形態例に係る上げ落とし金具１’を示す。図示の上げ落とし金具１’は、第１形態例の上げ落とし金具１のように、落とし杆３の上方向付勢力を一方側ロッド３Ｂに設けた第１スプリング５のみによって与えるようにした場合には、落とし杆３に傾くような力が作用し、ロッド３Ｂ，３Ｃによってケース２の通孔が徐々に摩耗して拡大するようになり、落とし杆３の作動不良を起こすことがある。従って、ケース２内で、前記落とし杆３の他方側ロッド３Ｃの側にもロッドを外嵌する第２スプリング１１を設けるようにしたものである。
【００２８】
従って、落とし杆３の左右のロッド３Ｂ，３Ｃのそれぞれにスプリング５，１１が外嵌させているため、落とし杆３が傾くことなく、上方向にまっすぐに付勢されるようになるため、落とし杆３のロッドによってケースの通孔が徐々に摩耗して拡大したり、落とし杆が傾いたりすることによって発生する作動不良を防止することが可能となる。
【符号の説明】
【００２９】
１…上げ落とし金具、２…ケース、３…落とし杆、４…ロックピース片、５…第１スプリング、６…バネストッパー軸、７…ピン、８…支軸、９…解除操作摘み部、１０…ワッシャー、１１…第２スプリング
【図１】
2018048466.tif 000003
【図２】
2018048466.tif 000004
【図３】
2018048466.tif 000005
【図４】
2018048466.tif 000006
【図５】
2018048466.tif 000007
【図６】
2018048466.tif 000008
【図７】
2018048466.tif 000009
【図８】
2018048466.tif 000010